(57)【特許請求の範囲】
【請求項１】
交流回路に挿入される接点と、交流回路への通電時に一次側に交流電流が流れるように接続された電流検出素子と、電流検出素子の二次側に接続され交流回路への通電時に点灯する表示灯とを具備し、表示灯を接点切り換え用のハンドル内に位置させた表示灯付スイッチにおいて、ハウジングのボディ内に電流検出素子収納凹部や端子板収納凹部や接点部収納凹部が凹設され、複数の端子板収納凹部や接点部収納凹部には端子板や接点交換する開閉体が上から挿入されると共に電流検出素子収納凹部には電流検出素子を有する電流検出素子ブロックが上から挿入され、表示灯を有する表示ブロックが上から電流検出素子ブロックの上に搭載され、表示ブロックの基台に保護抵抗としての抵抗チップを搭載し、接点交換するときのアークが抵抗チップ部分に至るのを避けるアーク避けを基台に設け、開閉体を揺動させるハンドルが表示ブロックの上に搭載され、さらにその上からハウジングのカバーがボディに被嵌されたことを特徴とする表示灯付スイッチ。
【請求項２】
電流検出素子としてダイオードブリッジとダイオードブリッジの中点間に架設したダイオードよりなる電流検出用ダイオード体を用いたことを特徴とする請求項１記載の表示灯付スイッチ。
【請求項３】
電流検出素子として電流トランスを用いたことを特徴とする請求項１記載の表示灯付スイッチ。
【請求項４】
表示灯としてのＬＥＤチップの保護抵抗となる抵抗チップを表示ブロックの基台に搭載すると共にＬＥＤチップと抵抗チップとを直列に接続して成ることを特徴とする請求項１または請求項２または請求項３記載の表示灯付スイッチ。
【請求項５】
１つのダイオードブリッジチップと１つのダイオードチップとを基台に装着すると共にこれらを電気的に接続して電流検出用ダイオード体を形成したことを特徴とする請求項２記載の表示灯付スイッチ。
【請求項６】
５つのダイオードチップを基台に装着すると共にこれらを電気的に接続して電流検出用ダイオード体を形成したことを特徴とする請求項２記載の表示灯付スイッチ。
【請求項７】
電流検出素子ブロックよりリード端子を上方に突設し、表示ブロックの端子にリード端子を挿通して接続して成ることを特徴とする請求項１記載の表示灯付スイッチ。
【請求項８】
電流検出用ダイオード体をケースに内装して電流検出ブロックを形成したことを特徴とする請求項２記載の表示灯付スイッチ。
【請求項９】
電流トランスをケースに内装して電流検出素子ブロックを形成したことを特徴する請求項３記載の表示灯付スイッチ。
【発明の詳細な説明】
【０００１】
【産業上の利用分野】
本発明は、交流回路に用いられ通電時に点灯する表示灯を備えた表示灯付スイッチに関するものである。
【０００２】
【従来の技術】
近年、交流回路に電流が流れたとき表示灯を点灯して通電を表示する表示灯付スイッチとして種々のものが提供されているが、これらはボディとカバーよりなるハウジング内に部品を手作業で組み込み、各部品を手作業で接続したりしているのが現状である。
【０００３】
【発明が解決しようとする課題】
ところが、上記のように手作業で組み立てると生産性が悪く量産することができない。
本発明は上記点に鑑みてなされたものであって、自動組み立てできるようにして量産できるようにすることを課題とする。
【０００４】
【課題を解決するための手段】
上記課題を解決するため本発明表示灯付スイッチは、交流回路に挿入される接点と、交流回路への通電時に一次側に交流電流が流れるように接続された電流検出素子と、電流検出素子の二次側に接続され交流回路への通電時に点灯する表示灯とを具備し、表示灯を接点切り換え用のハンドル内に位置させた表示灯付スイッチにおいて、ハウジングのボディ内に電流検出素子収納凹部や端子板収納凹部や接点部収納凹部が凹設され、複数の端子板収納凹部や接点部収納凹部には端子板や接点交換する開閉体が上から挿入されると共に電流検出素子収納凹部には電流検出素子を有する電流検出素子ブロックが上から挿入され、表示灯を有する表示ブロックが上から電流検出素子ブロックの上に搭載され、開閉体を揺動させるハンドルが表示ブロックの上に搭載され、さらにその上からハウジングのカバーがボディに被嵌されたことを特徴とする。このように構成したことにより、各部品を順に上から組み込んで組み立てることができて部品を順次自動的に組み込むことができ、自動組み立てができるようにして生産性を向上できる。
【０００５】
【発明の実施の形態】
まず図１乃至図４に示す例から述べる。
ハウジング１はボディ２とカバー３とで構成され、ボディ２内には電流検出素子収納凹部２１、端子板収納凹部２２，２３、接点部収納凹部２４が設けられている。端子板収納凹部２２には端子板４が収納され、端子板収納凹部２３には端子板５が収納され、接点部収納凹部２４には接続板６が収納されている。端子板４，５内には錠ばね１１を内装してあり、端子板４，５と錠ばね１１にて速結端子を構成してあり、電線挿入孔から挿入した電線を速結できるようになっている。端子板４，５内には解除釦１２を内装してあり、解除孔からドライバー等を挿入することより解除釦１２を操作して錠ばね１１の結合を解除でき、電線を抜くことができるようになっている。接続板６の下部には支点突起２７を突設してあり、支点突起２７に開閉体７を揺動自在に載置してある。この開閉体７の上部には可動接点２８を設けてあり、開閉体７の回動にて端子板５の固定接点に対して可動接点２８が接点交換するようになっている。
【０００６】
電流検出素子の一例としての電流トランス８は一次巻線に交流電流が流れると二次巻線に出力電流を発生するようになっている。電流トランス８はケース本体１７ａと蓋体１７ｂよりなるケース１７内に収納することで電流検出素子ブロックＡを形成している。そして電流トランス８の一次側のリード端子３０と電流トランス８の二次側のリード端子１９をケース１７の上面より突出させてある。このリード端子１９，３０は剛性を有する導体で例えばピン状をしている。この電流トランス８とケース１７よりなる電流検出素子ブロックＡは電流検出素子収納凹部２１に収納されている。端子板４の上端よりリード端子３０の近傍に至るように連出片３１を連出してあり、連出片３１の先端部に接合孔３２を穿孔してある。そして一対のリード端子３０のうち一方のリード端子３０を接合孔３２に挿入して接続してある。接続板６の上端からもリード端子３０の近傍に至るように連出片３３を連出してあり、連出片３３の先端部に接合孔３４を穿孔してある。そして他方のリード端子３０を接合孔３４に接続してある。つまり、電流検出素子ブロックＡを組み込んだ後、端子板４や接続板６を上から組み込むことにより、リード端子３０は接合孔３２，３４に挿入され、リード端子３０と端子板４や接続板６が自動半田付けで接続される。
【０００７】
表示ブロック１８は樹脂よりなる基台３５に導体をインサートし、表示灯となるＬＥＤチップ３６や保護抵抗となる抵抗チップ３７を搭載し、ＬＥＤチップ３６や抵抗チップ３７を導体に接続して形成されている。ＬＥＤチップ３６は基台３５に上方に突出するように設けた突出部３８の上端に搭載されている。表示ブロック１８の基台３５には抵抗チップ３７に接点交換のときのアークが飛ぶのを防止するためのアーク避け６５を一体に突設してある。この表示ブロック１８は電流検出素子ブロックＡの上からボディ２の上端に搭載して取り付けられる。表示ブロック１８を取り付けるとき、表示ブロック１８の一対の導体の一対の端子２０の接合孔３９と一対の二次側のリード端子１９とが対応し、リード端子１９が接合孔３９に挿入されて自動半田付けで接続される。
【０００８】
カバー３は上面に矩形状の開口４０を設けて形成され、このカバー３をボディ２の上面開口に取り付けてある。カバー３をボディ２に取り付けた状態でカバー３側からボディ２に至るように組み立て枠４１が被嵌され、組み立て枠４１にてカバー３とボディ２が一体化される。カバー３内には接点切り換え用のハンドル１３がシーソー運動自在に内装されており、接点切り換え用のハンドル１３の上面がカバー３の開口４０から露出している。接点切り換え用のハンドル１３内には筒部を一体に設けてあり、コイルスプリング１４の一端部を接点切り換え用のハンドル１３の筒部内に挿入してあり、コイルスプリング１４の他端部を開閉体７内に挿入してある。しかして接点切り換え用のハンドル１３をシーソー運動させると、コイルスプリング１４を介して開閉体７が反転揺動し、可動接点２８と固定接点とが接触したり離間したりする。表示ブロック１８の突出部３８は接点切り換え用のハンドル１３内に挿入され、接点切り換え用のハンドル１３の上面に設けた窓部４３からＬＥＤチップ３６が露出している。この窓部４３にはランプカバー４４を嵌着により着脱自在に取り付けてある。接点切り換え用のハンドル１３の上部に透明のカードカバー４５を着脱自在に被嵌してあり、接点切り換え用のハンドル１３とカードカバー４５との間にネームカードのようなカードを挟んで保持できるようになっている。
【０００９】
上記のように表示灯付スイッチが形成され、接点切り換え用のハンドル１３をシーソー運動させることにより開閉体７を反転揺動させて可動接点２８と固定接点との接点交換ができるが、可動接点２８と固定接点とを接触させて交流回路を導通させたとき、電流検出素子として電流トランス８の二次側巻線に生じる起電力がＬＥＤチップ３６に通電され、ＬＥＤチップ３６の発光にてオン状態になっていることが表示される。
【００１０】
また上記のように構成せる表示灯付スイッチの外形は日本配線器具工業会で規格化されている取り付け枠に対して着脱自在に取着できる埋め込み型の配線器具の１個分に相当する寸法に設定されおり、合成樹脂製の取り付け枠への取り付け部となる取り付け爪４６と、金属製の取り付け枠への取り付け部となる取り付け孔４７が組み立て枠４１に形成されている。
【００１１】
また図２に示すように表示ブロック１８は端部の適所に取り付け足４８を有し、表示ブロック１８をボディ２の上に載置したとき取り付け足４８がボデイ１の位置決め凹部４９に嵌合される。カバー３を被嵌するときカバー３の位置決め凹部が取り付け足４８に嵌合され、カバー３とボデイ２とで取り付け足４８が挟持されて表示ブロック１８が取り付けられる。このようにして表示ブロック１８が接点切り換え用のハンドル１３と関係なしにカバー３とボデイ２とで挟持して所定の位置に取り付けられる。
【００１２】
また表示ブロック１８ではＬＥＤチップ３６と抵抗チップ３７をレーザによる半田付けで接続してある。端子板４や接続板６を組み込んだとき、一次側のリード端子３０が端子板４や接続板６の接合孔３２，３４が挿入され、レーザによる半田付けにて端子板４や接続板６とリード端子３０に接続される。また表示ブロック１８を組み込んだとき電流トランス８の二次側のリード端子１９が端子２０の接合孔３９に挿入され、レーザによる半田付けにて端子２０とリード端子１９を接続できる。このように所定定位置に位置決めしてレーザによる半田付けにて自動組み立てできる。
【００１３】
また表示ブロック１８には２個のＬＥＤチップ３６と１つの抵抗チップ３７を搭載してある。図４に示すように２個のＬＥＤチップ３６は並列に接続してあり、ＬＥＤチップ３６と抵抗チップ３７と直列に接続してある。図４で符号ｅは電流トランス８の一次側、ｆは電流トランス８の二次側、ＳＷは開閉体７の揺動で切り換えられるスイッチ部である。ところで、従来の電流トランス８では一次側が４Ａで二次側が３０ｍＡ程度となっており、二次側の電流値が高くてＬＥＤチップ３６の故障の原因となっている。本発明では保護抵抗としての抵抗チップ３７を挿入することで二次側の出力を２５ｍＡ以下に規制できてＬＥＤチップ３６の故障を防ぎ、寿命を延ばすことができる。
【００１４】
また上記のように構成せる表示灯付スイッチは自動組み立てされるものであり、ボディ２の電流検出素子収納凹部２１に電流検出素子ブロックＡを上から挿入され、ボディ２の端子板収納凹部２２，２３には上から解除釦１２や錠ばね１１と一緒に端子板４や端子板５が挿入され、接点部収納凹部２４には開閉体７が上から挿入され、また表示ブロック１８が電流検出素子ブロックＡの上でボディ２に上から搭載され、表示ブロック１８の上からコイルスプリング１４と一緒にハンドル１３が搭載され、ハンドル１３の上からカバー３が被せられ、カバー３の上から組み立て枠４１を被せて取り付けられるものである。これにより、順に部品を上から組み込んで組み立てることができて容易に組み立ての自動化が図れる。
【００１５】
次に図５乃至図８に示す例について述べる。本例も上記例と基本的には同じであるが、電流検出素子ブロックＡの構造だけが異なる。
また電流検出素子ブロックＡは本例の場合電流検出用ダイオード体６０にて形成されている。この電流検出用ダイオード体６０は導電回路をインサートした基台６１にダイオードブリッジチップ６２やダイオードチップ６３を装着して組み立ててある。つまり、図８に示すようなダイオードブリッジ６２ａの中点にダイオード６３ａを架設した回路を形成してある。かかる電流検出用ダイオード体６０は５つのダイオードチップを図８に示すような回路に接続して形成してもよい。また電流検出用ダイオード体６０は基台６１からリード端子１９，３０を上方に突設してある。このリード端子１９，３０は剛性を有する導体で例えばピン状をしている。この電流検出用ダイオード体６０は電流検出素子収納凹部２１に上方から挿入して収納されている。この電流検出用ダイオード体６０に表示ブロック１８を電気的に接続することにより図８に示すような電流検出表示回路が形成される。また抵抗チップ３７を基台３５に搭載しているが、抵抗チップ３７を２個直列に接続する仕様の場合、表示ブロック１８の基台３５に１個の抵抗チップ３７を搭載し、電流検出用ダイオード体６０の基台６１に１つの抵抗チップ３７を搭載する。この表示灯付スイッチもハンドル１３をシーソー運動させることにより開閉体７を反転させ、可動接点２８と固定接点とを接触させて交流回路を導通させたとき、ＬＥＤチップ３６に通電されて発光表示される。
【００１６】
また図９は電流検出素子ブロックＡの他の例を示すものである。電流検出用ダイオード体６０の基台６１をケース１７のケース本体１７ａに一体に設けてあり、ケース本体１７ａの上面より上方にリード端子１９，３０を突設してある。そしてケース本体１７ａ内にダイオードブリッジチップ６２やダイオードチップ６３や抵抗チップ３７を内装するように取り付けてあり、ケース本体１７ａの開口を蓋体１７ｂで閉塞してある。
【００１７】
【発明の効果】
本発明は叙述の如くハウジングのボディ内に電流検出素子収納凹部や端子板収納凹部や接点部収納凹部が凹設され、複数の端子板収納凹部や接点部収納凹部には端子板や接点交換する開閉体が上から挿入されると共に電流検出素子収納凹部には電流検出素子を有する電流検出素子ブロックが上から挿入され、表示灯を有する表示ブロックが上から電流検出素子ブロックの上に搭載され、開閉体を揺動させるハンドルが表示ブロックの上に搭載され、さらにその上からハウジングのカバーがボディに被嵌されたので、各部品を順に上から組み込んで組み立てることができて部品を順次自動的に組み込むことができるものであって、自動組み立てができるようにして生産性を向上して量産できるものである。
また、表示ブロックの基台に保護抵抗としての抵抗チップを搭載し、接点交換するときのアークが抵抗チップ部分に至るのを避けるアーク避けを基台に設けているので、接点交換するときのアークから抵抗チップを保護できるものである。
【００１８】
また本発明の請求項４の発明にあっては、表示灯としてのＬＥＤチップの保護抵抗となる抵抗チップを表示ブロックの基台に搭載すると共にＬＥＤチップと抵抗チップとを直列に接続しているので、ＬＥＤチップを保護する抵抗チップを容易に装着できるものである。
また本発明の請求項５記載の発明にあっては、１つのダイオードブリッジチップと１つのダイオードチップとを基板に装着すると共にこれらを電気的に接続して電流検出用ダイオード体を形成したので、市販のダイオードブリッジチップとダイオードチップとを用いて容易に電流検出用ダイオード体を組み立てることができるものである。
【００１９】
また本発明の請求項７記載の発明にあっては、電流検出素子ブロックよりリード端子を上方に突設し、表示ブロックの端子にリード端子を挿通して接続しているので、リード端子を容易に接続して一層組み立ての自動化が図れるものである。
【図面の簡単な説明】
【図１】本発明表示灯付スイッチの一例の分解斜視図である。
【図２】（ａ）は同上の表示ブロックを拡大せる斜視図、（ｂ）は表示ブロックを取り付けた状態の斜視図である。
【図３】同上の電流検出素子ブロックを示し、（ａ）は分解斜視図、（ｂ）は組み立て状態の斜視図である。
【図４】同上の表示灯付スイッチの回路図である。
【図５】同上の表示灯付スイッチの他例の分解斜視図である。
【図６】同上の要部を拡大せる分解斜視図である。
【図７】同上の電流検出素子ブロックを示し、（ａ）は基台の斜視図、（ｂ）はチップを取り付ける状態の斜視図である。
【図８】同上の表示灯付スイッチの回路図である。
【図９】同上の電流検出素子ブロックの他例を示し、（ａ）は分解斜視図、（ｂ）は組み立て状態の斜視図である。
【符号の説明】
１  ハウジング
２  ボディ
３  カバー
４  端子板
５  端子板
６  接続板
７  開閉体
８  電流トランス
１３  ハンドル
１７  ケース
１７ａ  ケース本体
１７ｂ  蓋体
１８  表示ブロック
１９  リード端子
２０  端子
２１  電流検出素子収納凹部
２２  端子板収納凹部
２３  端子板収納凹部
２４  接点部収納凹部
３０  リード端子
３５  基台
３６  ＬＥＤチップ
３７  抵抗チップ
６５  アーク避け
Ａ  電流検出素子ブロック
【図１】
0003769796.tif 000002
【図２】
0003769796.tif 000003
【図３】
0003769796.tif 000004
【図４】
0003769796.tif 000005
【図５】
0003769796.tif 000006
【図６】
0003769796.tif 000007
【図７】
0003769796.tif 000008
【図８】
0003769796.tif 000009
【図９】
0003769796.tif 000010